(57)【要約】【課題】様々なサイズの掛け針に対応したリングを選択でき、イカ釣針を確実に且つ安定的に保持でき、イカ釣針をスムーズに投入でき、イカ釣針の掛け針を差込み孔に差込み易く、取扱いが簡単で、使い勝手が良く、構成が簡素で、耐久性に優れ、量産に適し、低廉に提供でき、経済的なイカ釣針の投入用保持具を提供する。【解決手段】イカ釣針１０を掛け針１２がわから差込み孔内に差込み、掛け針１２の弾性を利用して差込み孔で保持する掛け針１２の投入用保持具であって、合成樹脂材によって形成した外殻体Ａと、外殻体Ａ内に装着固定する金属製の複数のリングＢとからなり、複数のリングＢは、内径が夫々異なり、且つ内径の大きい順に外殻体Ａ内に配置し、差込み孔が複数の段差状となるように構成し、イカ釣針１０の掛け針１２の寸法に対応した内径のリングＢに掛け針１２を選択的に係止せしめられるよう構成する。【選択図】        図３
2010029122.tif 000002
【特許請求の範囲】
【請求項１】
イカ釣針を掛け針がわから差込み孔内に差込むことにより、イカ釣針が掛け針の弾性を利用して差込み孔で保持されるように構成したイカ釣針の投入用保持具であって、適宜合成樹脂材によって形成される外殻体と、この外殻体内に装着固定される適宜金属製の複数のリングとからなり、この複数のリングは、内径が夫々異なり、且つ内径の大きい順に外殻体内に配置され、差込み孔が複数の段差状となるように構成され、イカ釣針の掛け針の寸法に対応した内径のリングに掛け針を選択的に係止せしめられるように構成したことを特徴とするイカ釣針の投入用保持具。
【請求項２】
前記外殻体は、外殻基体と、この外殻基体の底部開放部分を塞ぐように固定される蓋体とからなり、外殻基体内には、複数のリングの外径に対応する複数の段部を形成し、蓋体には、複数のリングの外径に対応する複数の支持片を形成して、リングを保持できるように構成したことを特徴とする請求項１記載のイカ釣針の投入用保持具。
【請求項３】
前記外殻基体は、略逆Ｕ溝状の保持部と、この保持部の底部開放端縁から夫々外方に張出すように連設される取付片部とからなり、この取付片部に取付孔を穿設したことを特徴とする請求項２記載のイカ釣針の投入用保持具。
【発明の詳細な説明】
【技術分野】
【０００１】
本発明は、擬餌針であるイカ釣針（イカヅノ）が複数取付けられた仕掛けによってイカを釣る際に、その投入時に仕掛けが絡まないようにすべく使用されるイカ釣針の投入用保持具に係り、特に、様々なサイズがある掛け針に対応してイカ釣針を安定的に保持できるようにすると共に、イカ釣針をスムーズに投入できるようにし、しかも、取扱いが簡単で、使い勝手が良く、構成が簡素で、耐久性に優れ、量産に適し、低廉に提供でき、経済的となるよう工夫したイカ釣針の投入用保持具に関するものである。
【背景技術】
【０００２】
従来、この種のイカ釣針の投入用保持具にあっては、例えば、特許文献１に開示されているようなイカヅノ投入器がある。
これは、本体と、この本体に相互に平行に配設されるイカヅノが収納されるとともに、内径がテーパ状に形成された複数個の収納孔と、上記本体に設けられるとともに、上記本体を腕又は手の少なくともどちらか一方に固定する固定部材と、上記本体に設けられたプロテクタとを備えているものである。
【特許文献１】特開平８−５１９０５号公報
【発明の開示】
【発明が解決しようとする課題】
【０００３】
ところが、前述の如きイカヅノ投入器にあっては、複数個の収納孔の内径がテーパ状に形成されているため、様々なサイズがある掛け針に対応してイカ釣針を一時的に保持できるようにはなる。しかしながら、掛け針の弾性力によってその先端部分が、テーパー状の収納孔内周面を径が大きくなる方に移動し易く、掛け針の保持状態が緩んでしまう虞等があった。ひいては、その投入時に仕掛けが絡んでしまう問題点があった。
【課題を解決するための手段】
【０００４】
そこで、本願発明者は、前述の如き難点等を解消できるようにすると共に、取扱いが簡単で、使い勝手が良く、構成が簡素で、耐久性に優れ、量産に適し、低廉に提供でき、経済的となるイカ釣針の投入用保持具を提供できるようにすべく創出したものである。
しかして、請求項１記載のイカ釣針の投入用保持具にあっては、イカ釣針１０を掛け針１２がわから差込み孔内に差込むことにより、イカ釣針１０が掛け針１２の弾性を利用して差込み孔で保持されるように構成したイカ釣針の投入用保持具であって、適宜合成樹脂材によって形成される外殻体Ａと、この外殻体Ａ内に装着固定される適宜金属製の複数のリングＢとからなり、この複数のリングＢは、内径が夫々異なり、且つ内径の大きい順に外殻体Ａ内に配置され、差込み孔が複数の段差状となるように構成され、イカ釣針１０の掛け針１２の寸法に対応した内径のリングＢに掛け針１２を選択的に係止せしめられるように構成する手段を採用した。
【０００５】
また、請求項２記載のイカ釣針の投入用保持具にあっては、前記外殻体Ａは、外殻基体Ａ１と、この外殻基体Ａ１の底部開放部分を塞ぐように固定される蓋体Ａ２とからなり、外殻基体Ａ１内には、複数のリングＢの外径に対応する複数の段部１ａを形成し、蓋体Ａ２には、複数のリングＢの外径に対応する複数の支持片６を形成して、リングＢを保持できるように構成する手段を採用した。
【０００６】
更に、請求項３記載のイカ釣針の投入用保持具にあっては、前記外殻基体Ａ１は、略逆Ｕ溝状の保持部１と、この保持部１の底部開放端縁から夫々外方に張出すように連設される取付片部２とからなり、この取付片部２に取付孔３を穿設する手段を採用した。
【発明の効果】
【０００７】
従って、本発明の請求項１記載のイカ釣針の投入用保持具によれば、外殻体Ａ内に装着固定される適宜金属製の複数のリングＢは、内径が夫々異なり、且つ内径の大きい順に外殻体Ａ内に配置され、差込み孔が複数の段差状となるように構成してあるので、様々なサイズがある掛け針１２に対応したリングＢを選択することにより、イカ釣針１０を確実に且つ安定的に保持できるようになる。更に、イカ釣針１０をスムーズに投入できるようになる。
しかも、取扱いが簡単で、使い勝手が良く、構成が簡素で、耐久性に優れ、量産に適し、低廉に提供でき、経済的なイカ釣針の投入用保持具となる。
特に、複数のリングＢは、内径の大きい順に外殻体Ａ内に配置してあるので、イカ釣針１０の掛け針１２を差込み孔に差込み易いものとなると共に、掛け針１２が差込み孔内で緩む虞のないものとなる。
【０００８】
また、本発明の請求項２記載のイカ釣針の投入用保持具によれば、複数のリングＢを外殻体Ａ内に簡単に且つ安定的に保持できるようになる。しかも、投入用保持具自体を小型、コンパクトに構成できるようになる。
【０００９】
更に、本発明の請求項３記載のイカ釣針の投入用保持具によれば、取付片部２の取付孔３と固定ビス４等を利用して、外殻基体Ａ１（外殻体Ａ）を適宜場所に簡単に固定できるようになると共に、複数の投入用保持具を並列状に配置できるようになる。
【発明を実施するための最良の形態】
【００１０】
以下、本発明について説明すると、次の通りである。
本発明の投入用保持具は、複数のイカ釣針１０（イカヅノ）を取付けた仕掛けによってイカを釣る際に、その投入時に仕掛けが絡まないようにすべく使用されるものである。
具体的には、イカ釣針１０を掛け針１２がわから差込み孔内に差込むことにより、イカ釣針１０が掛け針１２の弾性を利用して差込み孔で保持されるように構成したイカ釣針１０の投入用保持具であって、適宜合成樹脂材によって形成される外殻体Ａと、この外殻体Ａ内に装着固定される適宜金属製の複数のリングＢとからなっている。
そして、この複数のリングＢは、内径が夫々異なり、且つ内径の大きい順に外殻体Ａ内に配置され、差込み孔が複数の段差状となるように構成され、イカ釣針１０の掛け針１２の寸法に対応した内径のリングＢに掛け針１２を選択的に係止せしめられるように構成したものである。
また、前記外殻体Ａは、外殻基体Ａ１と、この外殻基体Ａ１の底部開放部分を塞ぐように固定される蓋体Ａ２とからなり、外殻基体Ａ１内には、複数のリングＢの外径に対応する複数の段部１ａを形成し、蓋体Ａ２には、複数のリングＢの外径に対応する複数の支持片６を形成して、リングＢを保持できるように構成されている。
更に、前記外殻基体Ａ１は、略逆Ｕ溝状の保持部１と、この保持部１の底部開放端縁から夫々外方に張出すように連設される取付片部２とからなり、この取付片部２に取付孔３を穿設して形成されている。
【実施例】
【００１１】
前記外殻体Ａは、例えば、適宜合成樹脂材によって形成される外殻基体Ａ１と、適宜合成樹脂材によって形成されると共に、外殻基体Ａ１の底部開放部分を塞ぐように固定（接着）される蓋体Ａ２とで構成されている。
【００１２】
外殻基体Ａ１は、例えば、略逆Ｕ溝状の保持部１と、この保持部１の底部開放端縁から左右外方に夫々張出すように連設される取付片部２とからなり、この取付片部２には複数の取付孔３が穿設されている。
【００１３】
前記保持部１は、例えば、先端がわから基端がわに行くに従って漸次その幅及び高さが小さくなるような略逆Ｕ溝状に形成されている。
しかも、保持部１の内部には、複数のリングＢの外径に対応する複数の段部１ａが形成されている。複数のリングＢを確実に且つ安定的に保持できるように形成されている。
【００１４】
前記取付片部２は、例えば、略帯板状を呈し、保持部１の底部開放端縁から左右外方に夫々水平に張出すように連設されている。
【００１５】
前記取付孔３は、例えば、取付片部２の先端寄り部分と後端寄り部分とに夫々穿設されており、その軸部が挿通される固定ビス４によって固定基板等の任意の場所に簡単に且つ確実に固定できるように構成されている。
【００１６】
前記蓋体Ａ２は、例えば、外殻基体Ａ１（保持部１）の底部開放部分を塞ぐように固定される蓋板５と、この蓋板５に適宜間隔で立設される複数の支持片６とによって構成されており、支持片６の上端縁部分には、複数のリングＢの外径に対応する湾曲凹部が形成されている。すなわち、支持片６は、外殻体Ａの段部１ａに収まっている複数のリングＢが段部１ａから逸脱することがないように安定的に支えられるよう形成されている。尚、支持片６は、例えば、略棒状或いはその他の形状に形成することができる。すなわち、リングＢを確実に支えられるようにしたものであれば良い。
【００１７】
前記リングＢは、例えば、耐蝕性の優れた内径の異なる複数種類のステンレスパイプ材を短く切断することによって構成されるもので、内径の大きい順に外殻体Ａの前端がわから配置されるようになっている。すなわち、内径の異なる複数のリングＢを組合わせることにより、複数の段差を備えた差込み孔を簡単に構成できるようにしたものである。しかも、掛け針１２が係止されても簡単に傷付かないように形成されている。
尚、複数のリングＢは、図示例のように夫々の筒芯を揃えるように配置したものでも良いし、或いは、その内周面の一部を揃えるように配置したものでも良い。
また、リングＢは、内径に応じて外径が異なるように形成したものでも良いし、一部のリングＢに於いて外径が同じものであっても良い。
更に、リングＢは、各種寸法の長尺パイプを所定長さに切断することにより形成して、コストの低減が図れるようにしてあるが、これ以外のものであっても良い。
【００１８】
前記イカ釣針１０は、適宜構成のものを採用でき、例えば、適宜形状の胴部１１の先端部分に金属製掛け針１２を配置したものが採用される。
【００１９】
ところで、投入用保持具の具体的構成、形状、寸法、材質、外殻体Ａの具体的構成、形状、寸法、材質、外殻基体Ａ１の具体的構成、形状、寸法、材質、蓋体Ａ２の具体的構成、形状、寸法、材質、保持部１の具体的構成、形状、寸法、材質、段部１ａの具体的構成、形状、寸法、取付片部２の具体的構成、形状、寸法、材質、取付孔３の具体的構成、形状、寸法、配設位置、数、固定ビス４の具体的構成、形状、寸法、材質、蓋板５の具体的構成、形状、寸法、材質、支持片６の具体的構成、形状、寸法、配設位置、数、リングＢの具体的構成、形状、寸法、材質、数、イカ釣針１０の具体的構成、形状、寸法、材質、胴部１１の具体的構成、形状、寸法、材質、掛け針１２の具体的構成、形状、寸法、材質等は、図示例のもの等に限定されることなく適宜自由に設定、変更できるものである。
【図面の簡単な説明】
【００２０】
【図１】本発明のイカ釣針の投入用保持具を例示する分解斜視図である。
【図２】本発明のイカ釣針の投入用保持具を例示する横断平面図である。
【図３】本発明のイカ釣針の投入用保持具を例示する縦断側面図である。
【図４】本発明のイカ釣針の投入用保持具の使用例を示す斜視図である。
【符号の説明】
【００２１】
Ａ      外殻体
Ａ１    外殻基体
Ａ２    蓋体
１      保持部
１ａ    段部
２      取付片部
３      取付孔
４      固定ビス
５      蓋板
６      支持片
Ｂ      リング
１０    イカ釣針
１１    胴部
１２    掛け針
【図１】
2010029122.tif 000003
【図２】
2010029122.tif 000004
【図３】
2010029122.tif 000005
【図４】
2010029122.tif 000006